(57)【要約】【課題】ＣＡＤによる特に２階建以下の軸組み木造住宅の構造設計において、耐力壁線の自動判定手段により、耐力壁線とみなせるかどうかの仮決定後、編集過程を経て確定し、床倍率を自動的に算出し、ＣＡＤ画面上でその結果及び計算過程を表示し、所望の態様に出力するシステムの提供。【解決手段】耐力壁種類毎の壁倍率蓄積手段、建築物特定条件、外形ライン、要素の入力手段、耐力壁、準耐力壁を耐力壁線として入力する入力手段、前記入力データに基づき、耐力壁線候補抽出手段と、抽出した耐力壁線候補の中での耐力壁線確定手段、確定した耐力壁線に基づく壁線間データ算出手段、当該壁線間データをＣＡＤ画面上の各床ゾーン近傍に表示する表示手段、耐力壁線毎の耐力壁線判定手段、判定結果を耐力壁線毎に一覧表示する表示手段、床倍率詳細、壁線詳細を一覧表示する表示手段を有することを特徴とする。【選択図】図２
2004036295.tif 000002
【特許請求の範囲】
【請求項１】
ＣＡＤにより建築物の設計を行い、設計構造にかかる性能評価を支援するシステムであって、
耐力壁の設計壁量、建築物特定条件、外形ライン、要素の入力データに基づき耐力壁線候補を抽出、確定し、各床ゾーンの必要床倍率、平均存在床倍率を自動的に算出し、表示・出力する性能評価支援システム。
【請求項２】
ＣＡＤにより建築物の構造設計を行い、設計構造にかかる性能評価を支援するシステムであって、
耐力壁の種類に応じた壁倍率を蓄積する蓄積手段と、
建築物を特定する条件、外形ライン、要素を入力する入力手段と、
耐力壁、準耐力壁を耐力壁線として入力する入力手段と、
前記入力した建築物を特定する条件、外形ライン、要素、耐力壁、準耐力壁データに基づき、耐力壁線候補を抽出する抽出手段と、
前記抽出した耐力壁線候補の中から耐力壁線を確定する確定手段と、
前記確定した耐力壁線に基づき、壁線間データを算出する算出手段と、
前記算出した壁線間データをＣＡＤ画面上の各床ゾーン近傍に表示する表示手段と、
耐力壁線毎に、当該耐力壁線を判定する判定手段と、
前記判定した判定結果を耐力壁線毎に一覧表示する表示手段と、
床倍率詳細、壁線詳細を一覧表示する表示手段と
を有する性能評価支援システム。
【請求項３】
抽出手段は、壁線上の存在壁量が、壁線長に０．６を乗じた値かつ４ｍ以上を満たすか否かを判断し、抽出することを特徴とする請求項２記載の性能評価支援システム。
【請求項４】
壁線間データは、地震に対する必要床倍率、平均存在床倍率、性能表示で定める単位面積当りの必要壁量、壁線間隔、風に対する必要床倍率、壁線条件に応じた係数、風圧力の係数、床の壁線方向の長さ、壁線間データの適否、最低必要火打ち本数であることを特徴とする請求項２記載の性能評価支援システム。
【請求項５】
最低必要火打ち本数は、床倍率に対応する火打ち本数データに基づき算出されることを特徴とする請求項４記載の性能評価支援システム。
【請求項６】
判定手段は、耐力壁線につき、
当該耐力壁線合計長が壁線長に０．６を乗じた値かつ４ｍ以上を満たす旨の判定、建物の最外周である旨の判定、
当該耐力壁線の１ｍ以内に隣接する他の耐力壁線との合算が当該壁線長に０．６を乗じた値、かつ、４ｍ以上である旨の判定、
直接壁線指定したものである旨の判定、
耐力壁線でない旨の判定
を行うことを特徴とする請求項２記載の性能評価支援システム。
【請求項７】
床倍率詳細は、壁線座標、壁線長、平均存在床倍率、耐力壁線により区画される各床ゾーン別の床倍率、奥行き、床量からなることを特徴とする請求項２記載の性能評価支援システム。
【請求項８】
壁線詳細は、壁線座標、壁線長、壁線長に０．６を乗じた必要壁量値、耐力壁分の壁量、準耐力壁分の壁量、耐力壁分と準耐力壁分の合計壁量、壁線判定からなることを特徴とする請求項２記載の性能評価支援システム。
【請求項９】
建築物の構造設計を行い、設計構造にかかる性能評価を支援するＣＡＤシステムであるコンピュータに、
耐力壁の種類に応じた壁倍率を蓄積する蓄積手段と、
建築物を特定する条件、外形ライン、要素を入力する入力手段と、
耐力壁、準耐力壁を耐力壁線として入力する入力手段と、
前記入力した建築物を特定する条件、外形ライン、要素、耐力壁、準耐力壁データに基づき、耐力壁線候補を抽出する抽出手段と、
前記抽出した耐力壁線候補の中から耐力壁線を確定する確定手段と、
前記確定した耐力壁線に基づき、壁線間データを算出する算出手段と、
前記算出した壁線間データをＣＡＤ画面上の各床ゾーン近傍に表示する表示手段と、
耐力壁線毎に、当該耐力壁線を判定する判定手段と、
前記判定した判定結果を耐力壁線毎に一覧表示する表示手段と、
床倍率詳細、壁線詳細を一覧表示する表示手段と
を実行させるための性能評価支援プログラム。
【請求項１０】
耐力壁の種類に応じた壁倍率を蓄積する蓄積手段と、
建築物を特定する条件、外形ライン、要素を入力する入力手段と、
耐力壁、準耐力壁を耐力壁線として入力する入力手段と、
前記入力した建築物を特定する条件、外形ライン、要素、耐力壁、準耐力壁データに基づき、耐力壁線候補を抽出する抽出手段と、
前記抽出した耐力壁線候補の中から耐力壁線を確定する確定手段と、
前記確定した耐力壁線に基づき、壁線間データを算出する算出手段と、
前記算出した壁線間データをＣＡＤ画面上の各床ゾーン近傍に表示する表示手段と、
耐力壁線毎に、当該耐力壁線を判定する判定手段と、
前記判定した判定結果を耐力壁線毎に一覧表示する表示手段と、
床倍率詳細、壁線詳細を一覧表示する表示手段と
配信先の配信要求に応じて配信する配信手段と
を備えたことを特徴とする性能評価支援プログラムを配信する配信サーバ装置。
【請求項１１】
ＣＡＤにより建築物の構造設計を行い、設計構造にかかる性能評価を支援する方法であって、
建築物を特定する条件、外形ライン、要素を入力手段により当該特定項目を入力した後、
耐力壁、準耐力壁を耐力壁線として入力手段により入力し、
前記蓄積手段により蓄積された、入力済みの耐力壁の種類に応じた壁倍率と、
前記入力された特定項目データ及び耐力壁線データに基づき耐力壁線候補を抽出し、
前記抽出した耐力壁線候補の中から耐力壁線を確定し、
前記確定した耐力壁線に基づき、壁線間データを算出した後、
前記算出した壁線間データをＣＡＤ画面上の各床ゾーン近傍に表示し、
また、耐力壁線毎に、当該耐力壁線を判定した後、
前記判定した判定結果を耐力壁線毎に一覧表示し、
また、床倍率詳細、壁線詳細を一覧表示する
ことを特徴とする性能評価支援方法。
【発明の詳細な説明】
【０００１】
【発明の属する技術分野】
本発明は、ＣＡＤを利用した建築物の構造設計、特に２階建以下の軸組み木造住宅の構造設計において、耐力壁線の自動判定手段により、耐力壁線とみなせるかどうかの仮決定の後、編集過程を経て確定することができ、さらに、床倍率を自動的に算出し、ＣＡＤ画面上でその結果及び計算過程を表示し、出力する技術に関するものである。
【０００２】
【従来の技術】
２階建以下の軸組み木造の構造設計において、性能評価を行う場合には床倍率のチェックが必須となるが、従来技術においては、表計算プログラムソフトや構造計算プログラムを使って行われてきた。
【０００３】
【発明が解決しようとする課題】
しかしながら、従来のように表計算プログラムソフトを利用する場合においては、当該ソフトに計算をさせる前段階として、存在する柱の座標、耐力壁の壁倍率等をその都度システムへ数値入力することが必要であり、さらに、隅柱か隅柱以外の柱かの区別を夫々認識させるなど、その準備作業に多大な時間と労力を要していた。
また、従来の構造計算プログラムによる場合には、耐力壁や柱等所定の部材を全て入力して初めて当該プログラムによる計算が実行されることから、仮に、計算値が適正でなければ、当該部材の入力を再度やり直す必要があり、所望の値が得られるまでに多くの時間と労力を要してきた。
【０００４】
そこで本願は上記のような煩わしさを伴わずに、耐力壁線の確定作業及び床倍率を自動的に算出し、ＣＡＤ画面上で当該算出結果及び計算過程を表示し、また、行政庁への提出書類に資する構造検討書等の出力を可能とし、建築物の構造設計に伴う性能評価作業を迅速に進め得るシステムを開発しようというものである。
【０００５】
【課題を解決するための手段】
上記の課題を解決するために、請求項１記載の性能評価支援システムは、
ＣＡＤにより建築物の設計を行い、設計構造にかかる性能評価を支援するシステムであって、耐力壁の設計壁量、建築物特定条件、外形ライン、要素の入力データに基づき耐力壁線候補を抽出、確定し、各床ゾーンの必要床倍率、平均存在床倍率を自動的に算出し、表示・出力することを要旨とする。
【０００６】
また、請求項２記載の性能評価支援システムは、ＣＡＤにより建築物の構造設計を行い、設計構造にかかる性能評価を支援するシステムであって、耐力壁の種類に応じた壁倍率を蓄積する蓄積手段と、建築物を特定する条件、外形ライン、要素を入力する入力手段と、耐力壁、準耐力壁を耐力壁線として入力する入力手段と、前記入力した建築物を特定する条件、外形ライン、要素、耐力壁、準耐力壁データに基づき、耐力壁線候補を抽出する抽出手段と、前記抽出した耐力壁線候補の中から耐力壁線を確定する確定手段と、前記確定した耐力壁線に基づき、壁線間データを算出する算出手段と、前記算出した壁線間データをＣＡＤ画面上の各床ゾーン近傍に表示する表示手段と、耐力壁線毎に、当該耐力壁線を判定する判定手段と、前記判定した判定結果を耐力壁線毎に一覧表示する表示手段と、床倍率詳細、壁線詳細を一覧表示する表示手段とを有することを要旨とする。
【０００７】
また、請求項３記載の性能評価支援システムは請求項２記載の構成において、抽出手段が、壁線上の存在壁量が壁線長に０．６を乗じた値かつ４ｍ以上を満たすか否かを判断し、抽出することを要旨とする。
【０００８】
また、請求項４記載の性能評価支援システムは、請求項２記載の構成において、壁線間データが、地震に対する必要床倍率、平均存在床倍率、性能表示で定める単位面積当りの必要壁量、壁線間隔、風に対する必要床倍率、壁線条件に応じた係数、風圧力の係数、床の壁線方向の長さ、壁線間データの適否、最低必要火打ち本数であることを要旨とする。
【０００９】
また、請求項５記載の性能評価支援システムは、請求項４記載の構成において、
最低必要火打ち本数が、床倍率に対応する火打ち本数データに基づき算出されることを要旨とする。
【００１０】
請求項６記載の性能評価支援システムは、請求項２記載の構成において、判定手段が、耐力壁線につき、当該耐力壁線合計長が壁線長に０．６を乗じた値かつ４ｍ以上を満たす旨の判定、建物の最外周である旨の判定、当該耐力壁線の１ｍ以内に隣接する他の耐力壁線との合算が当該壁線長に０．６を乗じた値、かつ、４ｍ以上である旨の判定、直接壁線指定したものである旨の判定、耐力壁線でない旨の判定を行うことを要旨とする。
【００１１】
請求項７記載の性能評価支援システムは、請求項２記載の構成において、床倍率詳細が、壁線座標、壁線長、平均存在床倍率、耐力壁線により区画される各床ゾーン別の床倍率、奥行き、床量からなることを要旨とする。
【００１２】
請求項８記載の性能評価支援システムは、請求項２記載の構成において、壁線詳細が、壁線座標、壁線長、壁線長に０．６を乗じた必要壁量値、耐力壁分の壁量、準耐力壁分の壁量、耐力壁分と準耐力壁分の合計壁量、壁線判定からなることを要旨とする。
【００１３】
請求項９記載の性能評価支援プログラムは、建築物の構造設計を行い、設計構造にかかる性能評価を支援するＣＡＤシステムであるコンピュータに、耐力壁の種類に応じた壁倍率を蓄積する蓄積手段と、建築物を特定する条件、外形ライン、要素を入力する入力手段と、耐力壁、準耐力壁を耐力壁線として入力する入力手段と、前記入力した建築物を特定する条件、外形ライン、要素、耐力壁、準耐力壁データに基づき、耐力壁線候補を抽出する抽出手段と、前記抽出した耐力壁線候補の中から耐力壁線を確定する確定手段と、前記確定した耐力壁線に基づき、壁線間データを算出する算出手段と、前記算出した壁線間データをＣＡＤ画面上の各床ゾーン近傍に表示する表示手段と、耐力壁線毎に、当該耐力壁線を判定する判定手段と、前記判定した判定結果を耐力壁線毎に一覧表示する表示手段と、床倍率詳細、壁線詳細を一覧表示する表示手段とを実行させることを要旨とする。
【００１４】
請求項１０記載の配信サーバ装置は、耐力壁の種類に応じた壁倍率を蓄積する蓄積手段と、建築物を特定する条件、外形ライン、要素を入力する入力手段と、耐力壁、準耐力壁を耐力壁線として入力する入力手段と、前記入力した建築物を特定する条件、外形ライン、要素、耐力壁、準耐力壁データに基づき、耐力壁線候補を抽出する抽出手段と、前記抽出した耐力壁線候補の中から耐力壁線を確定する確定手段と、前記確定した耐力壁線に基づき、壁線間データを算出する算出手段と、前記算出した壁線間データをＣＡＤ画面上の各床ゾーン近傍に表示する表示手段と、耐力壁線毎に、当該耐力壁線を判定する判定手段と、前記判定した判定結果を耐力壁線毎に一覧表示する表示手段と、床倍率詳細、壁線詳細を一覧表示する表示手段と、配信先の配信要求に応じて配信する配信手段とを備えたことを要旨とする。
【００１５】
請求項１１記載の性能評価支援方法は、ＣＡＤにより建築物の構造設計を行い、設計構造にかかる性能評価を支援する方法であって、建築物を特定する条件、外形ライン、要素を入力手段により当該特定項目を入力した後、耐力壁、準耐力壁を耐力壁線として入力手段により入力し、前記蓄積手段により蓄積された、入力済みの耐力壁の種類に応じた壁倍率と、前記入力された特定項目データ及び耐力壁線データに基づき耐力壁線候補を抽出し、前記抽出した耐力壁線候補の中から耐力壁線を確定し、前記確定した耐力壁線に基づき、壁線間データを算出した後、前記算出した壁線間データをＣＡＤ画面上の各床ゾーン近傍に表示し、また、耐力壁線毎に、当該耐力壁線を判定した後、前記判定した判定結果を耐力壁線毎に一覧表示し、また、床倍率詳細、壁線詳細を一覧表示することを要旨とする。
【００１６】
【発明の実施の形態】
図１は、本発明の設計構造総合判定システムの構成図である。この図において、中央処理装置（１）は、バス線（８）を介してキーボードやマウス等の入力装置（２）、表示装置（３）、ＲＯＭ（リードオンメモリー）（５）、ＲＡＭ（ランダムアクセスメモリー）（６）、ＨＤＤ（ハードディスク）（７）と制御信号や格納データの授受、そして各種の処理を行う。
ＲＯＭ（５）は中央処理装置（１）において実行される本システムに係るプログラムを格納し、ＲＡＭ（６）は中央処理装置（１）の補助メモリとして使用する。また、ＨＤＤ（７）は本システムで作成した各種ファイル及び各種のデータを格納する。
【００１７】
なお、本システムは上記の構成に限られるものでなく、他の既知の構成によってもよく、また、ＣＤ−ＲＯＭ等のコンピュータ読み取り可能な記録媒体に本システムに係るプログラムやファイル等を記録して、他のコンピュータにインストールして利用できるほか、サーバ装置を利用し、ネットワークを介して他のコンピュータのメモリへダウンロードすることも可能である。
【００１８】
耐力壁の設計壁量とは、設計対象となっている建築物の構造上、支えになるような一定の強度を持つ壁の長さのことであり、建築基準法で必要とされる数値を上回ることが求められる。そして、本システムにおいては、耐力壁の入力作業により累積されたＸ軸方向（建築物の間口方向）、Ｙ軸方向（建築物の奥行き方向）の耐力壁の合計壁量を指すものである。
また、必要に応じて、横架材に達していない面材（準耐力壁）や腰壁による壁量との合算とする。
【００１９】
建築物特定条件とは、壁量計算の基礎となる条件であり、建設地や当該建築物の目標とする品確法耐震等級１〜３、そして耐風等級１、２等その他の条件であり、また、当該建築物自体に関する条件として、基礎の高さ、１、２階の階高といった建築物の仕様に関する条件等である。そして、当該条件を考慮した係数が本システムにプログラムされた算出式において、条件設定に伴い、反映されるものである。
【００２０】
外形ラインとは、耐力壁が周っている建物の１層、２層の外壁ラインをいい、必要に応じて袖壁をも含むものである。
【００２１】
要素とは、壁量計算に必要な要素である屋根、床、バルコニーをいい、前述の外壁ラインを基に入力するが、必要に応じて外部付帯、特殊荷重をも含む。また、後述する壁線間データの算出結果が適した内容のものでない場合には、設計変更を行い、再び要素入力をやり直すこととなる。
【００２２】
耐力壁線とは、床長さの６／１０以上かつ４ｍ以上の有効壁長を有する構面をいい、耐力壁線候補とは、当該耐力壁線とみなし得る壁線をいい、本システムにおいては最終的に使用者が当該候補の中から耐力壁線を確定する。
【００２３】
床ゾーンとは、各階につきＸ軸方向の耐力壁線及びＹ軸方向の耐力壁線に囲まれる領域をいう。
【００２４】
必要床倍率とは、建築物が必要とする床の強さを示す指標をいい、地震に関するものと、風に関するものとがある。本システムにおいては、夫々個別に算出すべく、必要な計算式がプログラムされ、当該計算式に引用される係数が蓄積されている。
【００２５】
存在床倍率とは、床の仕様毎の床の強さを表す数値であり、前記ゾーンに複数の種類の床、例えば硬い床と柔らかい床の２種類の床が混在している場合には、それらの床倍率の平均値をとり、当該ゾーン全体の床倍率、つまり平均存在床倍率とする。
【００２６】
また、耐力壁の種類及び各壁倍率は、２．５／面材、２．０／片筋違、２．０×２／両筋違、２．５×２／面材Ｗ、０．５〜５．０／その他の耐力壁、と耐力壁の種類毎に設定されており、耐力壁の種類選定に伴って本システムにより自動的に認識され、その後の壁量計算の基礎とされる。
【００２７】
なお、本システムによる算出又は算定結果は、ＣＡＤ画面上に数値表示されるだけでなく、算出結果につき、床倍率詳細及び壁線詳細を一覧表示し、構造検討書、また、行政庁等への提出書類等への利用の便に供するものである。
【００２８】
［実施例１］
本発明の第１の実施例を図１〜図６に基づいて説明する。
図１は本発明のシステム構成を示すハードウエア構成図、図２は本発明による作業手順を示すフロー図、図３は耐力壁、準耐力壁、柱を表示したことを示す図、図４は耐力壁線候補を画面上に表示したことを示す図、図５は壁線の詳細を画面上に表示したことを示す図である。
【００２９】
（１）は中央処理装置、（２）は入力装置、（３）は表示装置、（４）は出力装置、（５）はＲＯＭ、（６）はＲＡＭ、（７）はＨＤＤ、（８）はバス線、（９）は耐力壁線選択ウインドウ、（１０）は面材、（１１）は片筋違、（１２）は両筋違、（１３）は壁倍率確認・選択ウインドウ、（１４）は柱、（１５）は１層外壁ライン、（１６）はＸ軸方向耐力壁線候補、（１７）はＹ軸方向耐力壁線候補、（１８）壁線間データ表示である。
【００３０】
本実施例は、建築物の構造設計に際し、耐力壁線を確定し、各壁線の詳細を表示、出力する技術に関するものである。以下、操作手順を図２に従い、また、その他の図を参照しながら説明する。
【００３１】
まず、操作画面上で、耐力壁の壁量算出の基礎の一つとなる条件を選択入力する（Ｓ１０１）。当該条件項目は、建設地、品確法耐震等級１〜３の別、耐風等級１、２の別、また、建築物自体に関する条件として、基礎の高さ、１、２階の階高といった建築物の仕様である。
建築物自体の条件は、予め住宅モデルとリンクさせ、住宅モデル選択と同時に必要条件がシステムに反映するものとし、必要に応じて変更し得る態様としてよい。
【００３２】
上記、条件入力の後、耐力壁が周っている建物の１層、２層の外壁ラインである、外形ラインの入力を行う（Ｓ１０２）。本実施例における１層の外形ラインは図３に示す点線（１５）である。
【００３３】
次に、壁量計算の基礎及び後述の実施例における壁線間データ等算出の基礎となる屋根、床、バルコニー等の要素入力を行う（Ｓ１０３）。当該入力は、前述の外壁ラインを基に入力するが、必要に応じて外部付帯、特殊荷重をも含む。
【００３４】
次に、耐力壁及び準耐力壁の入力作業（Ｓ１０４）は、耐力壁選択ウインドウ（９）に表示されている面材（１０）、片筋違（１１）、両筋違（１２）、面材Ｗ、その他の耐力壁の中から、所望の耐力壁の種類を選択し、本システムのＣＡＤ機能により入力する。この時、耐力壁の種類選択と同時に、本システムは選択された耐力壁の種類にリンクした壁倍率を自動的に認識し、壁倍率確認・選択ウインドウ（１３）に表示する。
以上、条件入力（Ｓ１０１）〜耐力壁・準耐力壁入力（Ｓ１０４）の入力を終えたことを示すのが図３である。これらの入力結果に基づき、システムは壁量や安全率等を算出し、使用者が所望の結果が得られたと判断（Ｓ１０５）できた場合には、耐力壁線候補ボタンをクリックし、画面上に耐力壁線を表示させる（図４）。
【００３５】
耐力壁線となり得る耐力壁線候補（１６）（１７）は自動的に緑色の線で表示され、ここで、変更したい耐力壁線がある場合には、マウスにより当該不要な耐力壁線を仮決定した後、削除ボタンで削除し、追加配置したい耐力壁線を所定の手順に基づき配置する。そして、最終的に耐力壁線候補が決定すれば、耐力壁線確定ボタンをクリックすれば、耐力壁線は緑色から青色に変わり、耐力壁線として確定する（Ｓ１０６）。
【００３６】
本システムにおいて上記耐力壁線候補は、一の耐力壁線が床長さの６／１０以上で、かつ、４ｍ以上の有効壁長を有する構面及び最外周ラインとなるが、複雑な平面形状の場合には、当該条件を満たさない場合であっても、画面上に表示し、システム使用者の設計の自由度を確保している。
【００３７】
図５は、設計内容に基づき、各壁線の詳細テキストデータとしてＲＡＭ（６）あるいはＨＤＤ（７）内にファイルを自動作成し、格納する。図中、（ＸＳ、ＹＳ）は壁線の始点座標を、（ＸＥ、ＹＥ）は壁線の終点座標を示す。また、「壁線長」は当該壁線の長さを、「線長×０．６」は必要壁量を、「壁量」は実際の壁量を示し、「雑壁量」は準耐力壁の壁量を示す。そして「合算長」は「壁量」と「雑壁量」との合計壁量を表し、「壁線判定」は次の５つの判定結果に基づくものである。
壁線判定１／合算長が線長×０．６かつ４ｍ以上
壁線判定２／建物最外周
壁線判定３／１ｍ以内の合算が判定１の要件を充足
壁線判定４／壁線直接指定
壁線判定０／壁線でない
判定１は、システムによる数値認識手段により合算長の数値を認識し、当該数値に０．６を乗じた結果が４ｍを満たすか否かを判断手段により、判断する。
判定２は、前述の入力した外形ラインデータを認識し、一の壁線が当該外形ラインに該当するか否かを判断手段により判断する。
判定３は、使用者が隣接する壁線を考慮した結果、当該壁線を耐力壁線として確定したことを、認識手段により認識され、判断されたものである。
判定４は、設計上は耐力壁ではないが、使用者の判断により耐力壁線として確定し、当該確定をシステムが判断したものである。
判定０は、上記判定１〜４の何れにも該当せず、かつ、計算上、耐力壁線の要件を具備しない、例えば、壁量不足などを理由として耐力壁線とみなすことができない旨、システムが判断したものである。
なお、上記の判定は、中央処理装置（１）により、プログラムされた所定の算出式が算出手段により実行され、その結果を受けて表示手段により表示されるものであり、かつ、当該算出に必要な数値等は、前述した全入力データに基づき本システムが認識し、判断するところによる。
【００３８】
上記の壁線判定３の「１ｍ以内の合算」とは、一の壁線の壁量を考慮するにあたり、当該壁線から直交方向に１ｍ以内にある隣接する他の壁線を当該一の壁線上にあるとみなすことをいい、当該他の壁線の壁量を当該一の壁線の壁量に合算することをいう。
【００３９】
次に、図６に示す壁線間データについて説明する。耐力壁線が確定した後（Ｓ１０６）、本システムが各床ゾーン（実施例２にて詳述する）に関する諸条件、数値等を認識（Ｓ１０７）し、算出（Ｓ１０８）したものである。図中、各壁線間データ表示の詳細を省略しているが、次の１０項目が壁線間データ表示（１８）として、Ｘ軸方向の２本の耐力壁線に挟まれた区画及びＹ軸方向の２本の耐力壁線に挟まれた区画毎に、各壁線間近傍に表示される（Ｓ１０８）。
（ア）地震に対する必要床倍率、（イ）平均存在床倍率、（ウ）性能表示で定める単位面積当りの必要壁量を係数２００で除した数値（ＣＥ）、（エ）壁線間隔、（オ）風に対する必要床倍率、（カ）耐力壁の配置条件に応じた係数（α）、（キ）風圧力の係数（ＣＷ）、（ク）床の壁線方向の長さ、（ケ）壁線間データの適否、（コ）最低必要火打ち本数
上記項目は周知の算出式によるものであり、本システムにプログラムされた算出手段によって、前述した条件、外形、要素、耐力壁、準耐力壁等の諸入力データ及び格納された諸係数、算出結果に対応して抽出される数値データに基づき、行われる。具体的には以下の通りである。
【００４０】
（ア）「地震に対する必要床倍率」は次の算出式により求められる。
（エ）壁線間隔×（カ）耐力壁の配置条件に応じた係数（以下αと称す）×（ウ）性能表示で定める地震に関する単位面積あたりの必要壁量／２００
ここで「壁線間隔」とは隣り合う耐力壁線間の距離をいい、前記諸入力データに基づき、システムが自動的に認識するものである。
また、αは、床の区画の上下の耐力壁の配置条件に対応して定められている周知の係数を指し、本システムにおいては、入力データに基づき自動的に認識、抽出可能にＲＡＭ（６）又はＨＤＤ（７）等の記憶装置内に格納されている。
さらに「性能表示で定める地震に関する単位面積あたりの必要壁量」の算出に必要な所定の係数、例えば、地震地域係数は建築地データにリンクし、また、等級、１階２階の別、屋根の軽重といった要素により定まる係数、その他の係数についても前記入力データをシステムが自動的に認識して抽出し、所定の算出に利用されるべくＲＡＭ（６）又はＨＤＤ（７）等の記憶装置内に格納されている。
【００４１】
（イ）「平均存在床倍率」は、壁線により囲まれるゾーンの合計床倍率を壁線長で除した値で表され、後述の実施例にて詳述するが、当該数値の算出に必要な値は前記ＣＡＤ入力データに基づきシステムにより認識される。
【００４２】
（オ）「風に対する必要床倍率」は次の算出式により求められる。
（（エ）壁線間隔／（ク）床の壁線方向の長さ）×（カ）α×（キ）風圧力の係数
ここで、「風圧力の係数」とは地域の基準風速と建物の階数等に応じて定められているものであり、本システムにおいては、前記条件入力等の入力事項を自動的に判断し、当該算出式に利用する。その他、「壁線間隔」、「α」は前述の通りであり、「床の壁線方向の長さ」はＣＡＤ入力データに基づき認識される。
【００４３】
（ケ）「壁線間データの適否」とは、入力データに基づき算出される当該建築物の構造上の満たすべき基準値との比較において、当該算出結果が当該基準値を上回るか否かを判断し、上回っていればＯＫを、下回っていればＮＧの文字を画面上に表示する。なお、ＮＧの場合や、床倍率等その他の項目の算出結果が適したものでない場合には、再び要素入力画面に戻り、構造設計をやり直すこととなる（Ｓ１０９）。また、表示内容で良ければ、必要に応じて印刷（Ｓ１１０）し、当該設計内容を保存し、システムを終了させる（Ｓ１１１）。
【００４４】
「火打ち」とは入隅部分を補強するために取り付ける材をいい、（コ）「最低必要火打ち本数」は、床倍率により定めた火打ち１本当りの負担面積に基づき算出されるもので、例えば、床倍率が０．３６であった場合には、火打ち１本当りの平均負担面積は３．３ｍ２以下であることから、当該条件を満たすべく、関係面積から逆算し、算出した本数である。
本システムにおいては、床倍率に応じた、火打ち１本当りの平均負担面積を火打ち密度として予め設定の上、ＲＡＭ（６）又はＨＤＤ（７）等の記憶装置内に格納し、システムが床倍率の算出結果に基づき抽出し、該当床面積を考慮した上、算出し、表示するものである。
【００４５】
以上、本実施例のように、ＣＡＤの作図機能と各種データ格納機能、算出機能等とを統一してシステム化したことにより、使用者は当該システムに計算させる前段階として、存在する柱の座標、耐力壁の壁倍率等をその都度システムへ数値入力したり、隅柱か隅柱以外の柱かの区別等を逐次認識させたりする必要もなく、さらに、算出値が適正でなかった場合における再入力作業は、関係部材の再入力といった必要最低限の作業に留まるため、従来の構造計算プログラムと比して、大幅に作業時間を短縮することが可能となり、かつ、使用者は設計内容に時間をかけることが可能となることから、飛躍的に効率の良い構造設計作業を行うことができる。
【００４６】
［実施例２］
本発明の第２の実施例を図６、図７を参照しながら説明する。図７は床倍率の詳細を画面上に表示したことを示す図である。
【００４７】
本実施例は、先の実施例１に示した壁線間データの計算に使用する平均床倍率等の算出根拠となる値の詳細を表示、出力する技術に関するものである。
【００４８】
図６中、座標Ｓ１（０，０）、Ｓ２（４，０）、Ｅ１（０，８）、Ｅ２（４，８）で囲まれる領域が、床の仕様が異なることにより、Ａ（０，４）、Ｂ（４，４）を結ぶ直線で、領域甲、乙に分割されている。そして、当該領域にかかるデータが、図７中破線で囲まれたデータである。
なお、甲、乙の床仕様の別の認識は、先の要素等の入力段階でシステムにおいてデータ管理されており、本実施例作業段階に必要なデータとして自動的に認識されているものである。
【００４９】
図７に示す項目及び数値につき、上記領域を例に以下、詳述する。
「方向」Ｙとは図６に示す画面上、上下方向を、また、「方向」Ｘは同様に左右方向を示し、「階」は１階、２階の別を示す。「壁線座標」の（ＸＳ、ＹＳ）は耐力壁線の始点座標、（ＸＥ、ＹＥ）は耐力壁線の終点座標を表す。「壁線長」は当該耐力壁線の長さを示し、前記座標よりシステムが認識し、表示する。
【００５０】
「床ゾーン」は、当該耐力壁線に挟まれる領域のうち異なる床倍率で区分される領域を分けたもの表し、上記例によれば、領域甲が床ゾーン１、領域乙が床ゾーン２である。
各床ゾーンに示す、「床倍率」は床の仕様ごとに規定した数値を引用したものであり、本システムにおいては、床の仕様は商品とリンクしており、商品選択により、また、設計入力データに基づき自動的に読み取られ、表示される。
また、「奥行き」は上記座標により認識され、床ゾーン１の奥行きは直線Ｓ１Ｓ２と直線ＡＢ間の距離を、床ゾーン２については直線Ｅ１Ｅ２と直線ＡＢ間の距離を座標認識し、表示したものである。そして、「床量」は「床倍率」×「奥行き」で算出される。
【００５１】
「平均存在床倍率」とは、一の床領域について異なる仕様の床が混在している場合において、各仕様の存在床倍率に基づき、それらの平均値を当該床の領域全体の床倍率として求めたものである。本実施例においては、床ゾーン１と床ゾーン２の床量合計を壁線長で除して求め、四捨五入した上で表示する。
【００５２】
以上のように、各階、方向毎に、それぞれ耐力壁線の座標を認識し、かつ、関係する所定のデータをＲＡＭ（６）又はＨＤＤ（７）等に格納された記憶装置内から自動的に抽出し、算出することから、使用者は建築物の構造設計に際し、適宜、当該画面上にて所望の数値を確認することができるとともに、構造検討書等の他、行政庁への提出書類としても利用可能とするものである。
【００５３】
本実施例においても実施例１と同様、構造設計に際しての、充足すべき数値の確認作業が、設計途上において、数値確認のための新たな入力作業等を必要とすることなく行え、作業効率の大幅な効率化が図れる。
【００５４】
【発明の効果】
以上、本発明は、作図機能や算出機能等とを併せ持った統一したシステムであることから、建築物の構造設計において必須の基準値確認作業等を設計作業とともに行うことができる。しかも、当該基準値確認のための数値入力といった新たな入力作業を要せずに行え、また、所望の結果が得られなかった場合における再入力作業は、関係部材の再入力といった必要最低限の作業に留まるため、従来の構造計算プログラム等と比して、大幅に作業時間を短縮することが可能となり、かつ、使用者は設計内容に時間をかけることが可能となることから、飛躍的に効率の良い構造設計作業を行うことができる。
【図面の簡単な説明】
【図１】本発明のシステム構成を示すハードウエア構成図
【図２】本発明による作業手順を示すフロー図
【図３】耐力壁、準耐力壁、柱を表示したことを示す図
【図４】耐力壁線候補を画面上に表示したことを示す図
【図５】壁線の詳細を画面上に表示したことを示す図
【図６】壁線間データを画面上に表示したことを示す図
【図７】床倍率の詳細を画面上に表示したことを示す図
【符号の説明】
１　　　中央処理装置
２　　　入力装置
３　　　表示装置
４　　　出力装置
５　　　ＲＯＭ
６　　　ＲＡＭ
７　　　ＨＤＤ
８　　　バス線
９　　　耐力壁線選択ウインドウ
１０　　　面材
１１　　　片筋違
１２　　　両筋違
１３　　　壁倍率確認・選択ウインドウ
１４　　　柱
１５　　　１層外壁ライン
１６　　　Ｘ軸方向耐力壁線候補
１７　　　Ｙ軸方向耐力壁線候補
１８　　　壁線間データ表示
【図１】
2004036295.tif 000003
【図２】
2004036295.tif 000004
【図３】
2004036295.tif 000005
【図４】
2004036295.tif 000006
【図５】
2004036295.tif 000007
【図６】
2004036295.tif 000008
【図７】
2004036295.tif 000009